(57)【要約】【課題】  本発明は、地震による天井の揺れに対しそのエネルギーを吸収し効果的な対策を行う天井の地震対策装置を提供すること。【解決手段】  本発明の天井の地震対策装置１０は、天井側の固定部１１と屋根側の固定板１４との間にエネルギー吸収ユニット３０を備え、エネルギー吸収ユニット３０は、箱型ケースの縦方向に移動可能のシャフト３５が設けられ、シャフト３５の上端にはバネ取付板３４が取り付けられ外側下端には天井側の固定部１１が固定し、バネ取付板３４の上部には上部バネ３３が設けられ下部には下部バネ３２が設けられることした。【選択図】図１
2018168684.tif 000002
【特許請求の範囲】
【請求項１】
天井の吊木に取り付けられる天井側の固定部と、前記天井側の固定部の垂直上方に設けられる屋根側の固定板と、前記天井側の固定部と前記屋根側の固定板との間に設けられるエネルギー吸収ユニットとを備え、前記エネルギー吸収ユニットは、箱型ケースの縦方向の中心に上下方向に移動可能にシャフトが設けられ、前記シャフトの上端にはバネ取付板が取り付けられ外側下端には前記天井側の固定部が固定し、前記バネ取付板の上部には上部バネが設けられ下部には下部バネが設けられることしたことを特徴とする天井の地震対策装置。
【請求項２】
前記屋根側の固定板と前記エネルギー吸収ユニットとの間に前記エネルギー吸収ユニットを回転可能にする連結部を備えることとしたことを特徴とする請求項１に記載の天井の地震対策装置。
【請求項３】
前記エネルギー吸収ユニットは横方向に設けることとしたことを特徴とする請求項１に記載の天井の地震対策装置。
【請求項４】
天井の吊木に取り付けられる天井側の固定部と、前記天井側の固定部の垂直上方に設けられる屋根側の固定板と、前記天井側の固定部と前記屋根側の固定板との間に設けられるエネルギー吸収ユニットとを備え、前記エネルギー吸収ユニットは、箱型ケースの縦方向の中心に上下方向に移動可能にシャフトが設けられ、前記シャフトの上端にはバネ取付板が取り付けられ外側下端には前記天井側の固定部が固定し、前記バネ取付板の上部には上部バネが設けられ下部には下部バネが設けられ、前記下部バネの下側には移動可能に下向きのコの字形状の取付ガイド板が設けられていることとしたことを特徴とする天井の地震対策装置。
【発明の詳細な説明】
【技術分野】
【０００１】  本発明は、地震による天井の揺れに対しそのエネルギーを吸収し効果的な対策を行うことができる天井の地震対策装置に関する。
【背景技術】
【０００２】  従来の天井の地震対策には、天井に吊り下げ部材を補強し地震の発生に対し落下防止対策を行うものがある（例えば特許文献１参照）。
【先行技術文献】
【特許文献】
【０００３】
【特許文献１】特開２００８−７５５７３５号公報
【発明の概要】
【発明が解決しようとする課題】
【０００４】  しかしながら、従来の天井の地震対策装置は、天井の補強を行うことはできるが、エネルギーの吸収が十分とは言えずより効果的な対策を積極的にする必要があると云う問題があった。
本発明は、上記に鑑みてなされたものであって、地震による天井の揺れに対しそのエネルギーを吸収し効果的な対策を行うことができる天井の地震対策装置を提供することを目的とする。
【課題を解決するための手段】
【０００５】  本発明の天井の地震対策装置は、天井の吊木に取り付けられる天井側の固定部と、前記天井側の固定部の垂直上方に設けられる屋根側の固定板と、前記天井側の固定部と前記屋根側の固定板との間に設けられるエネルギー吸収ユニットとを備え、前記エネルギー吸収ユニットは、箱型ケースの縦方向の中心に上下方向に移動可能にシャフトが設けられ、前記シャフトの上端にはバネ取付板が取り付けられ外側下端には前記天井側の固定部が固定し、前記バネ取付板の上部には上部バネが設けられ下部には下部バネが設けられていることとした。
また、前記屋根側の固定板と前記エネルギー吸収ユニットとの間に前記エネルギー吸収ユニットを回転可能にする連結部を備えることとした。
また、前記エネルギー吸収ユニットは横方向に設けることとした。
さらに、本発明の地震対策装置は、天井の吊木に取り付けられる天井側の固定部と、前記天井側の固定部の垂直上方に設けられる屋根側の固定板と、前記天井側の固定部と前記屋根側の固定板との間に設けられるエネルギー吸収ユニットとを備え、前記エネルギー吸収ユニットは、箱型ケースの縦方向の中心に上下方向に移動可能にシャフトが設けられ、前記シャフトの上端にはバネ取付板が取り付けられ外側下端には前記天井側の固定部が固定し、前記バネ取付板の上部には上部バネが設けられ下部には下部バネが設けられ、前記下部バネの下側には移動可能に下向きのコの字形状の取付ガイド板が設けられていることとした。
【発明の効果】
【０００６】  本発明の天井の地震対策装置は、天井の吊木に取り付けられる天井側の固定部と、前記天井側の固定部の垂直上方に設けられる屋根側の固定板と、前記天井側の固定部と前記屋根側の固定板との間に設けられるエネルギー吸収ユニットとを備え、前記エネルギー吸収ユニットは、箱型ケースの縦方向の中心に上下方向に移動可能にシャフトが設けられ、前記シャフトの上端にはバネ取付板が取り付けられ外側下端には前記天井側の固定部が固定し、前記バネ取付板の上部には上部バネが設けられ下部には下部バネが設けられていることとしたため、地震による天井の揺れに対しそのエネルギーを吸収し効果的な対策を行うことができる。
また、前記屋根側の固定板と前記エネルギー吸収ユニットとの間に前記エネルギー吸収ユニットを回転可能にする連結部を備えることとしたため、地震による天井の横揺れに対してもそのエネルギーを吸収しより効果的な対策を行うことができる。
また、前記エネルギー吸収ユニットは横方向に設けることとしたため、地震による吊天井の揺れに対してもそのエネルギーを吸収しより効果的な対策を行うことができる。
さらに、本発明の地震対策装置は、天井の吊木に取り付けられる天井側の固定部と、前記天井側の固定部の垂直上方に設けられる屋根側の固定板と、前記天井側の固定部と前記屋根側の固定板との間に設けられるエネルギー吸収ユニットとを備え、前記エネルギー吸収ユニットは、箱型ケースの縦方向の中心に上下方向に移動可能にシャフトが設けられ、前記シャフトの上端にはバネ取付板が取り付けられ外側下端には前記天井側の固定部が固定し、前記バネ取付板の上部には上部バネが設けられ下部には下部バネが設けられ、前記下部バネの下側には移動可能に下向きのコの字形状の取付ガイド板が設けられていることとしたため、地震による天井の揺れに対しそのエネルギーを吸収しより容易に効果的な対策を行うことができる。
【図面の簡単な説明】
【０００７】
【図１】  本発明の第１の実施形態の天井の地震対策装置の斜視図を示す。
【図２】  本発明の第１の実施形態の天井の地震対策装置が作動したときの側面図を示し、図２（Ａ）は通常のときの図を示し、図２（Ｂ）は引張力が加わったときの図を示し、図２（Ｃ）は圧縮力が加わったときの図を示す。
【図３】  本発明の第１の実施形態の天井の地震対策装置が作動したときの側面図を示し、図３（Ａ）は正常のときの図を示し、図３（Ｂ）は一方の横方向に引かれたときの図を示し、図３（Ｃ）は他方の横方向に引かれたときの図を示す。
【図４】  本発明の第２の実施形態の天井の地震対策装置の側面図を示す。
【図５】  本発明の第３の実施形態の天井の地震対策装置で使用するエネルギー吸収ユニットの側面図を示し、図５（Ａ）はバネユニットの図を示し、図５（Ｂ）はエネルギー吸収ユニットの箱型ケースの図を示し、図５（Ｃ）はエネルギー吸収ユニットの図を示す。
【発明を実施するための形態】
【０００８】  以下、本発明の実施形態の天井の地震対策装置につき説明する。
【実施例１】
【０００９】  図１は、本発明の第１の実施形態の天井の地震対策装置の斜視図を示す。
図１に示すように、本発明の第１の実施形態の天井の地震対策装置１０は、縦方向に取付けられ、下方には天井側の固定部１１が設けられ、上方には屋根側の固定板１４が設けられ、天井側の固定部１１と屋根側の固定板１４との間にはエネルギー吸収ユニット３０が設けられている。なお、屋根側の固定板１４は、建物が２階以上の場合には、勿論、２階以上の床の下面側に取付けることもできる。【００１０】  天井側の固定部１１は、下側に向けコの字形状をしており、天井の吊木に取り付けられる。天井側の固定部１１の側面には、ボルト１２の取付穴１２ａ，１２ｂが明けられている。ボルト１２は固定用穴１２ａ，１２ｂと天井の吊木に明けられた穴とを通り、天井が取り付けられた天井の吊木に固定する。【００１１】  屋根側の固定板１４は、固定冶具（図示せず）により屋根の横梁に固定される。エネルギー吸収ユニット３０には屋根側の固定板１４と連結する固定板１５が固定されており、屋根側の固定板１４と、エネルギー吸収ユニット３０に固定された固定板１５とは連結部１３により連結している。連結部１３は、屋根側の固定板１４の下端に形成された円筒形状の円筒部１４ａと、固定板１５の上端に形成された円柱形状の円柱部１５ａとで構成され、固定板１５に固定するエネルギー吸収ユニット３０は回転可能に連結している。【００１２】  エネルギー吸収ユニット３０は、箱型ケース３１の縦方向の中心に上下方向に移動可能にネジ付のシャフト３５が設けられている。ネジ付のシャフト３５の上端にはバネ取付板３４が取り付けられ、外側下端にはナット１１ａにより天井側の固定部１１が固定している。
バネ取付板３４の上部にはコイル形状の上部バネ３３が設けられ、バネ取付板３４の下部にはコイル形状の下部バネ３２が設けられている。【００１３】  図２は、本発明の第１の実施形態の天井の地震対策装置が作動したときの側面図を示し、図２（Ａ）は通常のときの図を示し、図２（Ｂ）は引張力が加わったときの図を示し、図２（Ｃ）は圧縮力が加わったときの図を示す。【００１４】  図２（Ａ）に示すように、天井の地震対策装置１０は、通常のときにはエネルギー吸収ユニット３０のコイル形状の上部バネ３３とコイル形状の下部バネ３２とはバランスが保たれ、天井側の固定部１１に固定された天井の吊木１６を静止状態に保持している。【００１５】  図２（Ｂ）に示すように、天井の地震対策装置１０は、天井側の固定部１１に固定された天井の吊木１６に下方への引張力が加わったときには、エネルギー吸収ユニット３０のコイル形状の下部バネ３２が圧縮し天井の吊木１６のエネルギーは減少する。【００１６】  図２（Ｃ）に示すように、天井の地震対策装置１０は、天井側の固定部１１に固定された天井の吊木１６に上方への圧縮力が加わったときには、エネルギー吸収ユニット３０のコイル形状のコイル形状の上部バネ３３が圧縮し天井の吊木１６のエネルギーは減少する。【００１７】  図３は、本発明の第１の実施形態の天井の地震対策装置が作動したときの側面図を示し、図３（Ａ）は正常のときの図を示し、図３（Ｂ）は一方の横方向に引かれたときの図を示し、図３（Ｃ）は他方の横方向に引かれたときの図を示す。【００１８】  図３（Ａ）に示すように、天井の地震対策装置１０は、通常のときにはエネルギー吸収ユニット３０のコイル形状の上部バネ３３とコイル形状の下部バネ３２とはバランスが保たれ、天井側の固定部１１に固定された天井の吊木１６を静止状態に保持している。【００１９】  図３（Ｂ）に示すように、天井の地震対策装置１０は、天井側の固定部１１に固定された天井の吊木１６に一方の横方向に引かれる力が加わったときには、エネルギー吸収ユニット３０のコイル形状の下部バネ３２が圧縮し天井の吊木１６のエネルギーは減少する。【００２０】  図３（Ｃ）に示すように、天井の地震対策装置１０は、天井側の固定部１１に固定された天井の吊木１６に他方の横方向に引かれる力が加わったときにも、エネルギー吸収ユニット３０のコイル形状の下部バネ３２が圧縮し天井の吊木１６のエネルギーは減少する。【００２１】  以上述べたように、本発明の第１の実施形態の天井の地震対策装置１０は、地震による天井の上下や左右の揺れに対しそのエネルギーを吸収し効果的な対策を行うことができる。
【実施例２】
【００２２】  図４は、本発明の第２の実施形態の天井の地震対策装置の側面図を示す。
図４に示すように、本発明の第２の実施形態の天井の地震対策装置２０は、横方向に取付けられ、一方の端部側には縦柱材２６への固定部２１が設けられ、他方の端部側には吊天井の側面への固定板２４が設けられ、固定部２１と屋根への固定板２４との間にはエネルギー吸収ユニット５０が設けられている。【００２３】  固定部２１は、横方向に向けコの字形状をしており、ボルト２２を固定部２１と縦柱材２６とに通し縦柱材２６に取り付けられ固定される。【００２４】  固定板２４は、固定冶具（図示せず）により吊天井の側面に固定される。エネルギー吸収ユニット５０には固定板２４と連結する固定板２５が固定されており、固定板２４と固定板２５とは連結部２３により連結している。連結部２３は、固定板２５に固定するエネルギー吸収ユニット５０を回転可能に連結している。【００２５】  エネルギー吸収ユニット５０は、箱型ケース５１の横方向の中心に左右方向に移動可能にネジ付のシャフト５５が設けられている。ネジ付のシャフト５５にはバネ取付板５４が取り付けられ、外側端部にはナット２１ａにより固定部２１が固定している。
バネ取付板５４の一方の側にはコイル形状のバネ５２が設けられ、他方側にはコイル形状の上部バネ５３が設けられている。【００２６】  固定板２４に固定された吊天井に引張力が加わったときには、コイル形状のバネ５２が圧縮し吊天井のエネルギーは減少する。【００２７】  固定板２４に固定された吊天井に圧縮力が加わったときには、コイル形状のバネ５３が圧縮し吊天井のエネルギーは減少する。【００２８】  以上述べたように、本発明の第２の実施形態の天井の地震対策装置２０は、地震による吊天井の左右の揺れに対しそのエネルギーを吸収し効果的な対策を行うことができる。
【実施例３】
【００２９】  図５は、本発明の第３の実施形態の天井の地震対策装置で使用するエネルギー吸収ユニットの側面図を示し、図５（Ａ）はバネユニットの図を示し、図５（Ｂ）はエネルギー吸収ユニットの箱型ケースの図を示し、図５（Ｃ）はエネルギー吸収ユニットの図を示す。【００３０】  図５（Ａ）に示すように、バネユニット６０Ａは、中心にネジ付きシャフト６８が設けられている。ネジ付きシャフト６８は、端部にバネ取付板６２が固定され、移動可能に貫通し下向きのコの字形状の取付ガイド板６５が取り付けられている。バネ取付板６２の上側にはコイル形状のバネ６３が取り付けられ、バネ取付板６２と取付ガイド板６５の間にはコイル形状のバネ６４が取り付けられている。
図５（Ｂ）に示すように、エネルギー吸収ユニットの箱型ケース６０Ｂは、下面にネジ付きシャフト６８が送入するスリット６１が形成されている。スリット６１が形成されている箱型ケース６０Ｂの両側面は開口している。
図５（Ｃ）に示すように、エネルギー吸収ユニット６０は、バネユニット６０Ａのネジ付きシャフト６８が図５（Ｂ）に示す両側面が開口している箱型ケース６０Ｂのスリット６１に送入され、コの字形状の取付ガイド板６５が箱型ケース６０Ｂの下面を覆いバネユニット６０Ａが箱型ケース６０Ｂに設けられている。【００３１】  下方で天井の吊木が固定されるネジ付きシャフト６８に引張力が加わったときには、バネ取付板６２によりコイル形状のバネ６４が圧縮し吊天井のエネルギーは減少し、圧縮力が加わったときには、バネ取付板６２によりコイル形状のバネ６３が圧縮し吊天井のエネルギーは減少する。【００３２】  以上述べたように、本発明の第３の実施形態の天井の地震対策装置６０は、地震による天井の揺れに対しそのエネルギーを吸収し効果的な対策を行うことができる。
なお、エネルギー吸収ユニット３０、５０、６０は屋根への固定板に複数個設けるようにすることもできる。
【産業上の利用可能性】
【００３３】  本発明の天井の地震対策装置は、家庭用に限らず工場用など各種の地震対策に幅広く適用することができる。
【符号の説明】
【００３４】１０、２０  天井の地震対策装置
１１、２１  天井側の固定部
１２、２２  ボルト
１３、３３  連結部
１４、３４  屋根側の固定板
３０、５０  エネルギー吸収ユニット
３２、５２  コイル形状の下部バネ
３３、５３  コイル形状の上部バネ
３４、５４  バネ取付板
３５、５５  ネジ付のシャフト
【図１】
2018168684.tif 000003
【図２】
2018168684.tif 000004
【図３】
2018168684.tif 000005
【図４】
2018168684.tif 000006
【図５】
2018168684.tif 000007